【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
１，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび１−エトキシ−１，１，２，２−テトラフルオロエタン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；ならびに
１，１，１，２，２，４，５，５，５−ノナフルオロ−４−（トリフルオロメチル）−３−ペンタノンおよび１，１，１，２，２，３，３−ヘプタフルオロ−３−メトキシプロパン
からなる群より選択されることを特徴とする組成物。
【請求項２】
１，１，１，２，２，４，５，５，５−ノナフルオロ−４−（トリフルオロメチル）−３−ペンタノンと、
１−（ジフルオロメトキシ）−１，１，２−トリフルオロエタン；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（トリフルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
１−（１，１，−ジフルオロエトキシ）−１，１，２，２−テトラフルオロエタン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
１，１，１，２，３，３−ヘキサフルオロ−３−（ペンタフルオロエトキシ）プロパン；
２−エトキシ−１，１，１，２，３，３，３−ヘプタフルオロプロパン：
３−エトキシ−１，１，１，２，２，３，３−ヘプタフルオロプロパン；
１−（１，１，２，２−テトラフルオロエトキシ）プロパン；
２，３−ジフルオロ−４−（トリフルオロメチル）オキセタン；
１−エトキシ−１，１，２，２−テトラフルオロエタン；
Ｃ４Ｆ９ＯＣＨ３；
Ｃ４Ｆ９ＯＣ２Ｈ５；および
１，１，１，２，２，３，３−ヘプタフルオロ−３−メトキシプロパン
からなる群より選択される少なくとも１種のフルオロエーテルと
を含むことを特徴とする組成物。
【請求項３】
冷凍を発生させるための方法であって、前記方法が、冷却されるべき物体の近傍において請求項１に記載の組成物を蒸発させる工程、および、その後に前記組成物を凝縮させる工程を含むことを特徴とする冷凍を発生させるための方法。
【請求項４】
熱を発生させるための方法であって、前記方法が、加熱されるべき物体の近傍において請求項１に記載の組成物を凝縮させる工程、および、その後に前記組成物を蒸発させる工程を含むことを特徴とする熱を発生させるための方法。
【請求項５】
熱を伝達させるための方法であって、前記方法が、請求項１に記載の組成物を、ヒートソースからヒートシンクへと輸送させる工程を含むことを特徴とする熱を伝達させるための方法。
【請求項６】
請求項２に記載の組成物を使用する方法であって、前記方法が、多段遠心圧縮機を用いて、冷凍装置または空気調節装置中で熱または冷凍を発生させる工程を含むことを特徴とする方法。
【手続補正２】
【補正対象書類名】明細書
【補正対象項目名】００９２
【補正方法】変更
【補正の内容】
【００９２】
ヒートソースは、それから熱を輸送、移動または除去するのが望ましい、各種の空間、位置、対象物または物体と定義される。ヒートソースの例としては、冷凍または冷却を必要とする（開放または密閉）空間たとえば冷凍庫またはスーパーマーケットの冷凍ケース、空気調節が必要とされるビルディング空間、あるは、空気調節が必要とされる自動車の乗車空間などが挙げられる。ヒートシンクは、熱を吸収することができる、各種の空間、位置、対象物または物体と定義される。蒸気圧縮冷凍システムは、そのようなヒートシンクの一例である。
以下に、本発明の好ましい態様を示す。
１．    １，１，１，２，２，４，５，５，５−ノナフルオロ−４−（トリフルオロメチル）−３−ペンタノンおよび１−（ジフルオロメトキシ）−１，１，２−トリフルオロエタン；
１，１，１，２，２，４，５，５，５−ノナフルオロ−４−（トリフルオロメチル）−３−ペンタノンおよび１−（ジフルオロメトキシ）−１，２，２−トリフルオロエタン；
１，１，１，２，２，４，５，５，５−ノナフルオロ−４−（トリフルオロメチル）−３−ペンタノンおよび２−フルオロメトキシ−１，１，１，２−テトラフルオロエタン；
１，１，１，２，２，４，５，５，５−ノナフルオロ−４−（トリフルオロメチル）−３−ペンタノンおよび１−メトキシ−１，１，２，２−テトラフルオロエタン；
１，１，１，２，２，４，５，５，５−ノナフルオロ−４−（トリフルオロメチル）−３−ペンタノンおよび２−メトキシ−１，１，１，２−テトラフルオロエタン；
１，１，１，２，２，４，５，５，５−ノナフルオロ−４−（トリフルオロメチル）−３−ペンタノンおよび１−ジフルオロメトキシ−２，２−ジフルオロエタン；
１，１，１，２，２，４，５，５，５−ノナフルオロ−４−（トリフルオロメチル）−３−ペンタノンおよび２−メトキシ−１，１，２−トリフルオロエタン；
１，１，１，２，２，４，５，５，５−ノナフルオロ−４−（トリフルオロメチル）−３−ペンタノンおよび１，１−ジフルオロ−２−メトキシエタン；
１，１，１，２，２，４，５，５，５−ノナフルオロ−４−（トリフルオロメチル）−３−ペンタノンおよび１，１，２，２−テトラフルオロ−３−（トリフルオロメトキシ）プロパン；
１，１，１，２，２，４，５，５，５−ノナフルオロ−４−（トリフルオロメチル）−３−ペンタノンおよび１−（２，２−ジフルオロエトキシ）−１，１，２，２，２−ペンタフルオロエタン；
１，１，１，２，２，４，５，５，５−ノナフルオロ−４−（トリフルオロメチル）−３−ペンタノンおよび３−（ジフルオロメトキシ）−１，１，１，２，２−ペンタフルオロプロパン；
１，１，１，２，２，４，５，５，５−ノナフルオロ−４−（トリフルオロメチル）−３−ペンタノンおよび１，１，１，３，３，３−ヘキサフルオロ−２−（トリフルオロメトキシ）プロパン；
１，１，１，２，２，４，５，５，５−ノナフルオロ−４−（トリフルオロメチル）−３−ペンタノンおよび１，１，２−トリフルオロ−１−メトキシ−２−（トリフルオロメトキシ）エタン；
１，１，１，２，２，４，５，５，５−ノナフルオロ−４−（トリフルオロメチル）−３−ペンタノンおよび１，１，１，２，３，３−ヘキサフルオロ−３−メトキシプロパン；
１，１，１，２，２，４，５，５，５−ノナフルオロ−４−（トリフルオロメチル）−３−ペンタノンおよび１，１，１，３，３，３−ヘキサフルオロ−２−メトキシプロパン；
１，１，１，２，２，４，５，５，５−ノナフルオロ−４−（トリフルオロメチル）−３−ペンタノンおよび１，１，２，２，３，３−ヘキサフルオロ−３−メトキシプロパン；
１，１，１，２，２，４，５，５，５−ノナフルオロ−４−（トリフルオロメチル）−３−ペンタノンおよび１−（１，１，−ジフルオロエトキシ）−１，１，２，２−テトラフルオロエタン；
１，１，１，２，２，４，５，５，５−ノナフルオロ−４−（トリフルオロメチル）−３−ペンタノンおよび３−（ジフルオロメトキシ）−１，１，２，２−テトラフルオロプロパン；
１，１，１，２，２，４，５，５，５−ノナフルオロ−４−（トリフルオロメチル）−３−ペンタノンおよび１，１，１，２，２−ペンタフルオロ−３−メトキシプロパン；
１，１，１，２，２，４，５，５，５−ノナフルオロ−４−（トリフルオロメチル）−３−ペンタノンおよび２−（ジフルオロメトキシ）−１，１，１−トリフルオロプロパン；
１，１，１，２，２，４，５，５，５−ノナフルオロ−４−（トリフルオロメチル）−３−ペンタノンおよび２−エトキシ−１，１，１，２−テトラフルオロエタン；
１，１，１，２，２，４，５，５，５−ノナフルオロ−４−（トリフルオロメチル）−３−ペンタノンおよび１，１，１−トリフルオロ−２−エトキシエタン；
１，１，１，２，２，４，５，５，５−ノナフルオロ−４−（トリフルオロメチル）−３−ペンタノンおよび１，１，１−トリフルオロ−３−メトキシプロパン；
１，１，１，２，２，４，５，５，５−ノナフルオロ−４−（トリフルオロメチル）−３−ペンタノンおよび１，１，１−トリフルオロ−２−メトキシプロパン；
１，１，１，２，２，４，５，５，５−ノナフルオロ−４−（トリフルオロメチル）−３−ペンタノンおよび１−エトキシ−１，２，２−トリフルオロエタン；
１，１，１，２，２，４，５，５，５−ノナフルオロ−４−（トリフルオロメチル）−３−ペンタノンおよび１，１，１，２，３，３−ヘキサフルオロ−３−（ペンタフルオロエトキシ）プロパン；
１，１，１，２，２，４，５，５，５−ノナフルオロ−４−（トリフルオロメチル）−３−ペンタノンおよび２−エトキシ−１，１，１，２，３，３，３−ヘプタフルオロプロパン：
１，１，１，２，２，４，５，５，５−ノナフルオロ−４−（トリフルオロメチル）−３−ペンタノンおよび３−エトキシ−１，１，１，２，２，３，３−ヘプタフルオロプロパン；
１，１，１，２，２，４，５，５，５−ノナフルオロ−４−（トリフルオロメチル）−３−ペンタノンおよび１−（１，１，２，２−テトラフルオロエトキシ）プロパン；
１，１，１，２，２，４，５，５，５−ノナフルオロ−４−（トリフルオロメチル）−３−ペンタノンおよび１−エトキシ−１，１，２，２−テトラフルオロエタン；
１，１，１，２，２，４，５，５，５−ノナフルオロ−４−（トリフルオロメチル）−３−ペンタノンおよび２，３−ジフルオロ−４−（トリフルオロメチル）オキセタン；
１，１，１，２，２，４，５，５，５−ノナフルオロ−４−（トリフルオロメチル）−３−ペンタノンおよびＣ４Ｆ９ＯＣＨ３；
１，１，１，２，２，４，５，５，５−ノナフルオロ−４−（トリフルオロメチル）−３−ペンタノンおよびＣ４Ｆ９ＯＣ２Ｈ５；ならびに
１，１，１，２，２，４，５，５，５−ノナフルオロ−４−（トリフルオロメチル）−３−ペンタノンおよび１，１，１，２，２，３，３−ヘプタフルオロ−３−メトキシプロパン
からなる群より選択されることを特徴とする組成物。
２．    １，１，１，２，２，４，５，５，５−ノナフルオロ−４−（トリフルオロメチル）−３−ペンタノンと、
１−（ジフルオロメトキシ）−１，１，２−トリフルオロエタン；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（トリフルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
１−（１，１，−ジフルオロエトキシ）−１，１，２，２−テトラフルオロエタン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
１，１，１，２，３，３−ヘキサフルオロ−３−（ペンタフルオロエトキシ）プロパン；
２−エトキシ−１，１，１，２，３，３，３−ヘプタフルオロプロパン：
３−エトキシ−１，１，１，２，２，３，３−ヘプタフルオロプロパン；
１−（１，１，２，２−テトラフルオロエトキシ）プロパン；
２，３−ジフルオロ−４−（トリフルオロメチル）オキセタン；
１−エトキシ−１，１，２，２−テトラフルオロエタン；
Ｃ４Ｆ９ＯＣＨ３；
Ｃ４Ｆ９ＯＣ２Ｈ５；および
１，１，１，２，２，３，３−ヘプタフルオロ−３−メトキシプロパン
からなる群より選択される少なくとも１種のフルオロエーテルと
を含むことを特徴とする組成物。
３．    前記組成物が：
約１〜約７９重量パーセントの１，１，１，２，２，４，５，５，５−ノナフルオロ−４−（トリフルオロメチル）−３−ペンタノンおよび約９９〜約２１重量パーセントの１−（ジフルオロメトキシ）−１，１，２−トリフルオロエタン；
約３８〜約９９重量パーセントの１，１，１，２，２，４，５，５，５−ノナフルオロ−４−（トリフルオロメチル）−３−ペンタノンおよび約６２〜約１重量パーセントの１−（ジフルオロメトキシ）−１，２，２−トリフルオロエタン；
約２０〜約８２重量パーセントの１，１，１，２，２，４，５，５，５−ノナフルオロ−４−（トリフルオロメチル）−３−ペンタノンおよび約８０〜約１８重量パーセントの２−フルオロメトキシ−１，１，１，２−テトラフルオロエタン；
約３６〜約８２重量パーセントの１，１，１，２，２，４，５，５，５−ノナフルオロ−４−（トリフルオロメチル）−３−ペンタノンおよび約６４〜約１８重量パーセントの１−メトキシ−１，１，２，２−テトラフルオロエタン；
約２８〜約８５重量パーセントの１，１，１，２，２，４，５，５，５−ノナフルオロ−４−（トリフルオロメチル）−３−ペンタノンおよび約７２〜約１５重量パーセントの２−メトキシ−１，１，１，２−テトラフルオロエタン；
約４９〜約８７重量パーセントの１，１，１，２，２，４，５，５，５−ノナフルオロ−４−（トリフルオロメチル）−３−ペンタノンおよび約５１〜約１３重量パーセントの１−ジフルオロメトキシ−２，２−ジフルオロエタン；
約５８〜約９１重量パーセントの１，１，１，２，２，４，５，５，５−ノナフルオロ−４−（トリフルオロメチル）−３−ペンタノンおよび約４２〜約９重量パーセントの２−メトキシ−１，１，２−トリフルオロエタン；
約５３〜約８９重量パーセントの１，１，１，２，２，４，５，５，５−ノナフルオロ−４−（トリフルオロメチル）−３−ペンタノンおよび約４７〜約１１重量パーセントの１，１−ジフルオロ−２−メトキシエタン；
約１〜約８５重量パーセントの１，１，１，２，２，４，５，５，５−ノナフルオロ−４−（トリフルオロメチル）−３−ペンタノンおよび約９９〜約１５重量パーセントの１，１，２，２−テトラフルオロ−３−（トリフルオロメトキシ）プロパン；
約１〜約８４重量パーセントの１，１，１，２，２，４，５，５，５−ノナフルオロ−４−（トリフルオロメチル）−３−ペンタノンおよび約９９〜約１６重量パーセントの１−（２，２−ジフルオロエトキシ）−１，１，２，２，２−ペンタフルオロエタン；
約１〜約８５重量パーセントの１，１，１，２，２，４，５，５，５−ノナフルオロ−４−（トリフルオロメチル）−３−ペンタノンおよび約９９〜約１５重量パーセントの３−（ジフルオロメトキシ）−１，１，１，２，２−ペンタフルオロプロパン；
約３９〜約９９重量パーセントの１，１，１，２，２，４，５，５，５−ノナフルオロ−４−（トリフルオロメチル）−３−ペンタノンおよび約６１〜約１重量パーセントの１，１，１，３，３，３−ヘキサフルオロ−２−（フルオロメトキシ）プロパン；
約１〜約９９重量パーセントの１，１，１，２，２，４，５，５，５−ノナフルオロ−４−（トリフルオロメチル）−３−ペンタノンおよび約９９〜約１重量パーセントの１，１，２−トリフルオロ−１−メトキシ−２−（トリフルオロメトキシ）エタン；
約４７〜約８８重量パーセントの１，１，１，２，２，４，５，５，５−ノナフルオロ−４−（トリフルオロメチル）−３−ペンタノンおよび約５３〜約１２重量パーセントの１，１，１，２，３，３−ヘキサフルオロ−３−メトキシプロパン；
約３２〜約９０重量パーセントの１，１，１，２，２，４，５，５，５−ノナフルオロ−４−（トリフルオロメチル）−３−ペンタノンおよび約６８〜約１０重量パーセントの１，１，１，３，３，３−ヘキサフルオロ−２−メトキシプロパン；
約５７〜約９４重量パーセントの１，１，１，２，２，４，５，５，５−ノナフルオロ−４−（トリフルオロメチル）−３−ペンタノンおよび約４３〜約６重量パーセントの１，１，２，２，３，３−ヘキサフルオロ−３−メトキシプロパン；
約６０〜約９９重量パーセントの１，１，１，２，２，４，５，５，５−ノナフルオロ−４−（トリフルオロメチル）−３−ペンタノンおよび約４０〜約１重量パーセントの１−（１，１，−ジフルオロエトキシ）−１，１，２，２−テトラフルオロエタン；
約５６〜約９９重量パーセントの１，１，１，２，２，４，５，５，５−ノナフルオロ−４−（トリフルオロメチル）−３−ペンタノンおよび約４４〜約１重量パーセントの３−（ジフルオロメトキシ）−１，１，２，２−テトラフルオロプロパン；
約２８〜約８８重量パーセントの１，１，１，２，２，４，５，５，５−ノナフルオロ−４−（トリフルオロメチル）−３−ペンタノンおよび約７２〜約１２重量パーセントの１，１，１，２，２−ペンタフルオロ−３−メトキシプロパン；
約１〜約９９重量パーセントの１，１，１，２，２，４，５，５，５−ノナフルオロ−４−（トリフルオロメチル）−３−ペンタノンおよび約９９〜約１重量パーセントの２−（ジフルオロメトキシ）−１，１，１−トリフルオロプロパン；
約５５〜約９２重量パーセントの１，１，１，２，２，４，５，５，５−ノナフルオロ−４−（トリフルオロメチル）−３−ペンタノンおよび約４５〜約８重量パーセントの２−エトキシ−１，１，１，２−テトラフルオロエタン；
約４１〜約９１重量パーセントの１，１，１，２，２，４，５，５，５−ノナフルオロ−４−（トリフルオロメチル）−３−ペンタノンおよび約５９〜約９重量パーセントの１，１，１−トリフルオロ−２−エトキシエタン；
約５５〜約９１重量パーセントの１，１，１，２，２，４，５，５，５−ノナフルオロ−４−（トリフルオロメチル）−３−ペンタノンおよび約４５〜約９重量パーセントの１，１，１−トリフルオロ−３−メトキシプロパン；
約４５〜約８８重量パーセントの１，１，１，２，２，４，５，５，５−ノナフルオロ−４−（トリフルオロメチル）−３−ペンタノンおよび約５５〜約１２重量パーセントの１，１，１−トリフルオロ−２−メトキシプロパン；
約５４〜約８９重量パーセントの１，１，１，２，２，４，５，５，５−ノナフルオロ−４−（トリフルオロメチル）−３−ペンタノンおよび約４６〜約１１重量パーセントの１−エトキシ−１，２，２−トリフルオロエタン；
約１〜約９９重量パーセントの１，１，１，２，２，４，５，５，５−ノナフルオロ−４−（トリフルオロメチル）−３−ペンタノンおよび約９９〜約１重量パーセントの１，１，１，２，３，３−ヘキサフルオロ−３−（ペンタフルオロエトキシ）プロパン；
約１〜約９９重量パーセントの１，１，１，２，２，４，５，５，５−ノナフルオロ−４−（トリフルオロメチル）−３−ペンタノンおよび約９９〜約１重量パーセントの２−エトキシ−１，１，１，２，３，３，３−ヘプタフルオロプロパン；
約１〜約９９重量パーセントの１，１，１，２，２，４，５，５，５−ノナフルオロ−４−（トリフルオロメチル）−３−ペンタノンおよび約９９〜約１重量パーセントの３−エトキシ−１，１，１，２，２，３，３−ヘプタフルオロプロパン；
約６２〜約９９重量パーセントの１，１，１，２，２，４，５，５，５−ノナフルオロ−４−（トリフルオロメチル）−３−ペンタノンおよび約３８〜約１重量パーセントの１−（１，１，２，２−テトラフルオロエトキシ）プロパン；
約５４〜約９２重量パーセントの１，１，１，２，２，４，５，５，５−ノナフルオロ−４−（トリフルオロメチル）−３−ペンタノンおよび約４６〜約８重量パーセントの２，３−ジフルオロ−４−（トリフルオロメチル）オキセタン；
約５０〜約９０重量パーセントの１，１，１，２，２，４，５，５，５−ノナフルオロ−４−（トリフルオロメチル）−３−ペンタノンおよび約５０〜約１０重量パーセントの１−エトキシ−１，１，２，２−テトラフルオロエタン；
約４０〜約９９重量パーセントの１，１，１，２，２，４，５，５，５−ノナフルオロ−４−（トリフルオロメチル）−３−ペンタノンおよび約６０〜約１重量パーセントのＣ４Ｆ９ＯＣＨ３；
約６３〜約９９重量パーセントの１，１，１，２，２，４，５，５，５−ノナフルオロ−４−（トリフルオロメチル）−３−ペンタノンおよび約３７〜約１重量パーセントのＣ４Ｆ９ＯＣ２Ｈ５；ならびに
約１〜約７６重量パーセントの１，１，１，２，２，４，５，５，５−ノナフルオロ−４−（トリフルオロメチル）−３−ペンタノンおよび約９９〜約２４重量パーセントの１，１，１，２，２，３，３−ヘプタフルオロ−３−メトキシプロパン
からなる群より選択されることを特徴とする１．に記載の組成物。
４．    温度約３４．７℃において約１４．７ｐｓｉａ（１０１ｋＰａ）の蒸気圧を有する、４７．６重量パーセントの１，１，１，２，２，４，５，５，５−ノナフルオロ−４−（トリフルオロメチル）−３−ペンタノンおよび５２．４重量パーセントの１−（ジフルオロメトキシ）−１，１，２−トリフルオロエタン；
温度約４０．５℃において約１４．７ｐｓｉａ（１０１ｋＰａ）の蒸気圧を有する、６６．２重量パーセントの１，１，１，２，２，４，５，５，５−ノナフルオロ−４−（トリフルオロメチル）−３−ペンタノンおよび３３．８重量パーセントの１−（ジフルオロメトキシ）１，２，２−トリフルオロエタン；
温度約３６．２℃において約１４．７ｐｓｉａ（１０１ｋＰａ）の蒸気圧を有する、５２．４重量パーセントの１，１，１，２，２，４，５，５，５−ノナフルオロ−４−（トリフルオロメチル）−３−ペンタノンおよび４７．６重量パーセントの２−フルオロメトキシ−１，１，１，２−テトラフルオロエタン；
温度約２７．４℃において約１４．７ｐｓｉａ（１０１ｋＰａ）の蒸気圧を有する、５９．７重量パーセントの１，１，１，２，２，４，５，５，５−ノナフルオロ−４−（トリフルオロメチル）−３−ペンタノンおよび４０．３重量パーセントの１−メトキシ−１，１，２，２−テトラフルオロエタン；
温度約２９．９℃において約１４．７ｐｓｉａ（１０１ｋＰａ）の蒸気圧を有する、６３．６重量パーセントの１，１，１，２，２，４，５，５，５−ノナフルオロ−４−（トリフルオロメチル）−３−ペンタノンおよび３６．４重量パーセントの２−メトキシ−１，１，１，２−テトラフルオロエタン；
温度約３５．９℃において約１４．７ｐｓｉａ（１０１ｋＰａ）の蒸気圧を有する、７３．３重量パーセントの１，１，１，２，２，４，５，５，５−ノナフルオロ−４−（トリフルオロメチル）−３−ペンタノンおよび２６．７重量パーセントの１−ジフルオロメトキシ−２，２−ジフルオロエタン；
温度約３４．４℃において約１４．７ｐｓｉａ（１０１ｋＰａ）の蒸気圧を有する、７９．４重量パーセントの１，１，１，２，２，４，５，５，５−ノナフルオロ−４−（トリフルオロメチル）−３−ペンタノンおよび２０．６重量パーセントの２−メトキシ−１，１，２−トリフルオロエタン；
温度約３１．５℃において約１４．７ｐｓｉａ（１０１ｋＰａ）の蒸気圧を有する、７５．３重量パーセントの１，１，１，２，２，４，５，５，５−ノナフルオロ−４−（トリフルオロメチル）−３−ペンタノンおよび２４．７重量パーセントの１，１−ジフルオロ−２−メトキシエタン；
温度約３２．１℃において約１４．７ｐｓｉａ（１０１ｋＰａ）の蒸気圧を有する、３９．５重量パーセントの１，１，１，２，２，４，５，５，５−ノナフルオロ−４−（トリフルオロメチル）−３−ペンタノンおよび６０．５重量パーセントの１，１，１，２，２，３，３−ヘプタフルオロ−３−メトキシプロパン；
温度約３８．６℃において約１４．７ｐｓｉａ（１０１ｋＰａ）の蒸気圧を有する、５８．８重量パーセントの１，１，１，２，２，４，５，５，５−ノナフルオロ−４−（トリフルオロメチル）−３−ペンタノンおよび４１．２重量パーセントの１，１，２，２−テトラフルオロ−３−（トリフルオロメトキシ）プロパン；
温度約３８．２℃において約１４．７ｐｓｉａ（１０１ｋＰａ）の蒸気圧を有する、５７．８重量パーセントの１，１，１，２，２，４，５，５，５−ノナフルオロ−４−（トリフルオロメチル）−３−ペンタノンおよび４２．２重量パーセントの１−（２，２−ジフルオロエトキシ）−１，１，２，２，２−ペンタフルオロエタン；
温度約３８．４℃において約１４．７ｐｓｉａ（１０１ｋＰａ）の蒸気圧を有する、５８．５重量パーセントの１，１，１，２，２，４，５，５，５−ノナフルオロ−４−（トリフルオロメチル）−３−ペンタノンおよび４１．５重量パーセントの３−（ジフルオロメトキシ）−１，１，１，２，２−ペンタフルオロプロパン；
温度約４４．８℃において約１４．７ｐｓｉａ（１０１ｋＰａ）の蒸気圧を有する、７８．０重量パーセントの１，１，１，２，２，４，５，５，５−ノナフルオロ−４−（トリフルオロメチル）−３−ペンタノンおよび２２．０重量パーセントの１，１，１，３，３，３−ヘキサフルオロ−２−（フルオロメトキシ）プロパン；
温度約４７．６℃において約１４．７ｐｓｉａ（１０１ｋＰａ）の蒸気圧を有する、７８．６重量パーセントの１，１，１，２，２，４，５，５，５−ノナフルオロ−４−（トリフルオロメチル）−３−ペンタノンおよび２１．４重量パーセントの１，１，２−トリフルオロ−１−メトキシ−２−（トリフルオロメトキシ）エタン；
温度約３８．８℃において約１４．７ｐｓｉａ（１０１ｋＰａ）の蒸気圧を有する、７３．７重量パーセントの１，１，１，２，２，４，５，５，５−ノナフルオロ−４−（トリフルオロメチル）−３−ペンタノンおよび２６．３重量パーセントの１，１，１，２，３，３−ヘキサフルオロ−３−メトキシプロパン；
温度約４０．８℃において約１４．７ｐｓｉａ（１０１ｋＰａ）の蒸気圧を有する、７１．０重量パーセントの１，１，１，２，２，４，５，５，５−ノナフルオロ−４−（トリフルオロメチル）−３−ペンタノンおよび２９．０重量パーセントの１，１，１，３，３，３−ヘキサフルオロ−２−メトキシプロパン；
温度約４２．９℃において約１４．７ｐｓｉａ（１０１ｋＰａ）の蒸気圧を有する、８０．６重量パーセントの１，１，１，２，２，４，５，５，５−ノナフルオロ−４−（トリフルオロメチル）−３−ペンタノンおよび１９．４重量パーセントの１，１，２，２，３，３−ヘキサフルオロ−３−メトキシプロパン；
温度約４５．８℃において約１４．７ｐｓｉａ（１０１ｋＰａ）の蒸気圧を有する、８６．５重量パーセントの１，１，１，２，２，４，５，５，５−ノナフルオロ−４−（トリフルオロメチル）−３−ペンタノンおよび１３．５重量パーセントの１−（１，１，−ジフルオロエトキシ）−１，１，２，２−テトラフルオロエタン；
温度約４５．８℃において約１４．７ｐｓｉａ（ｋＰａ）の蒸気圧を有する、８３．４重量パーセントの１，１，１，２，２，４，５，５，５−ノナフルオロ−４−（トリフルオロメチル）−３−ペンタノンおよび１６．６重量パーセントの３−（ジフルオロメトキシ）−１，１，２，２−テトラフルオロプロパン；
温度約３８．５℃において約１４．７ｐｓｉａ（１０１ｋＰａ）の蒸気圧を有する、６９．０重量パーセントの１，１，１，２，２，４，５，５，５−ノナフルオロ−４−（トリフルオロメチル）−３−ペンタノンおよび３１．０重量パーセントの１，１，１，２，２−ペンタフルオロ−３−メトキシプロパン；
温度約４３．０℃において約１４．７ｐｓｉａ（１０１ｋＰａ）の蒸気圧を有する、７０．３重量パーセントの１，１，１，２，２，４，５，５，５−ノナフルオロ−４−（トリフルオロメチル）−３−ペンタノンおよび２９．７重量パーセントの２−（ジフルオロメトキシ）−１，１，１−トリフルオロプロパン；
温度約４１．０℃において約１４．７ｐｓｉａ（１０１ｋＰａ）の蒸気圧を有する、７９．６重量パーセントの１，１，１，２，２，４，５，５，５−ノナフルオロ−４−（トリフルオロメチル）−３−ペンタノンおよび２０．４重量パーセントの２−エトキシ−１，１，１，２−テトラフルオロエタン；
温度約約３９．２℃において約１４．７ｐｓｉａ（１０１ｋＰａ）の蒸気圧を有する、７３．４重量パーセントの１，１，１，２，２，４，５，５，５−ノナフルオロ−４−（トリフルオロメチル）−３−ペンタノンおよび２６．６重量パーセントの１，１，１−トリフルオロ−２−エトキシエタン；
温度約３９．０℃において約１４．７ｐｓｉａ（１０１ｋＰａ）の蒸気圧を有する、７８．３重量パーセントの１，１，１，２，２，４，５，５，５−ノナフルオロ−４−（トリフルオロメチル）−３−ペンタノンおよび２１．７重量パーセントの１，１，１−トリフルオロ−３−メトキシプロパン；
温度約３６．０℃において約１４．７ｐｓｉａ（１０１ｋＰａ）の蒸気圧を有する、７２．４重量パーセントの１，１，１，２，２，４，５，５，５−ノナフルオロ−４−（トリフルオロメチル）−３−ペンタノンおよび２７．６重量パーセントの１，１，１−トリフルオロ−２−メトキシプロパン；
温度約３４．５℃において約１４．７ｐｓｉａ（１０１ｋＰａ）の蒸気圧を有する、７６．０重量パーセントの１，１，１，２，２，４，５，５，５−ノナフルオロ−４−（トリフルオロメチル）−３−ペンタノンおよび２４．０重量パーセントの１−エトキシ−１，２，２−トリフルオロエタン；
温度約４０．７℃において約１４．７ｐｓｉａ（１０１ｋＰａ）の蒸気圧を有する、５８．０重量パーセントの１，１，１，２，２，４，５，５，５−ノナフルオロ−４−（トリフルオロメチル）−３−ペンタノンおよび４２．０重量パーセントの２−エトキシ−１，１，１，２，３，３，３−ヘプタフルオロプロパン；
温度約４３．４℃において約１４．７ｐｓｉａ（１０１ｋＰａ）蒸気圧を有する、６８．９重量パーセントの１，１，１，２，２，４，５，５，５−ノナフルオロ−４−（トリフルオロメチル）−３−ペンタノンおよび３１．１重量パーセントの３−エトキシ−１，１，１，２，２，３，３−ヘプタフルオロプロパン；
温度約３９．９℃において約１４．７ｐｓｉａ（１０１ｋＰａ）の蒸気圧を有する、７４．８重量パーセントの１，１，１，２，２，４，５，５，５−ノナフルオロ−４−（トリフルオロメチル）−３−ペンタノンおよび２５．２重量パーセントの１−エトキシ−１，１，２，２−テトラフルオロエタン；
温度約４５．２℃において約１４．７ｐｓｉａ（１０１ｋＰａ）の蒸気圧を有する、７７．０重量パーセントの１，１，１，２，２，４，５，５，５−ノナフルオロ−４−（トリフルオロメチル）−３−ペンタノンおよび２３．０重量パーセントのＣ４Ｆ９ＯＣＨ３；
温度約４８．９℃において約１４．７ｐｓｉａ（１０１ｋＰａ）の蒸気圧を有する、９６．６重量パーセントの１，１，１，２，２，４，５，５，５−ノナフルオロ−４−（トリフルオロメチル）−３−ペンタノンおよび３．４重量パーセントのＣ４Ｆ９ＯＣ２Ｈ５；
温度約４４．８℃において約１４．７ｐｓｉａ（１０１ｋＰａ）の蒸気圧を有する、８５．３重量パーセントの１，１，１，２，２，４，５，５，５−ノナフルオロ−４−（トリフルオロメチル）−３−ペンタノンおよび１４．７重量パーセントの１−（１，１，２，２−テトラフルオロエトキシ）プロパン；ならびに
温度約４１．３℃において約１４．７ｐｓｉａ（１０１ｋＰａ）の蒸気圧を有する、７８．８重量パーセントの１，１，１，２，２，４，５，５，５−ノナフルオロ−４−（トリフルオロメチル）−３−ペンタノンおよび２１．２重量パーセントの２，３−ジフルオロ−４−（トリフルオロメチル）オキセタン
からなる群より選択されることを特徴とする組成物。
５．    冷凍を発生させるための方法であって、前記方法が、冷却されるべき物体の近傍において１．、２．、３．または４．に記載の組成物を蒸発させる工程、および、その後に前記組成物を凝縮させる工程を含むことを特徴とする冷凍を発生させるための方法。
６．    熱を発生させるための方法であって、前記方法が、加熱されるべき物体の近傍において１．、２．、３．、または４．に記載の組成物を凝縮させる工程、および、その後に前記組成物を蒸発させる工程を含むことを特徴とする熱を発生させるための方法。
７．    熱を伝達させるための方法であって、前記方法が、１．、２．、３．または４．に記載の組成物を、ヒートソースからヒートシンクへと輸送させる工程を含むことを特徴とする熱を伝達させるための方法。
８．    ナフタルイミド類、ペリレン類、クマリン類、アントラセン類、フェナントラセン類、キサンテン類、チオキサンテン類、ナフトキサンテン類、フルオレセイン類、前記染料の誘導体、およびそれらの組合せからなる群より選択される少なくとも１種の紫外線蛍光染料をさらに含むことを特徴とする１．、２．、３．または４．に記載の組成物。
９．    炭化水素類、ジメチルエーテル、ポリオキシアルキレングリコールエーテル類、アミド類、ケトン類、ニトリル類、クロロカーボン類、エステル類、ラクトン類、アリールエーテル類、ヒドロフルオロエーテル類、および１，１，１−トリフルオロアルカン類からなる群より選択される少なくとも１種の可溶化剤をさらに含み、冷媒と可溶化剤が同一の化合物ではないことを特徴とする８．に記載の組成物。
１０．    前記可溶化剤が：
ａ）式Ｒ１［（ＯＲ２）ｘＯＲ３］ｙで表されるポリオキシアルキレングリコールエーテル類（ｘは、１〜３の整数であり；ｙは、１〜４の整数であり；Ｒ１は、水素および１〜６個の炭素原子とｙ個の結合サイトを有する脂肪族炭化水素基から選択され；Ｒ２は、２〜４個の炭素原子を有する脂肪族ヒドロカルビレン基から選択され；Ｒ３は、水素ならびに、１〜６個の炭素原子を有する脂肪族および脂環式炭化水素基から選択され；Ｒ１とＲ３との内の少なくとも一つは、前記炭化水素基から選択され；および前記ポリオキシアルキレングリコールエーテル類は、約１００〜約３００原子質量単位の分子量を有する）；
ｂ）式Ｒ１Ｃ（Ｏ）ＮＲ２Ｒ３およびシクロ−［Ｒ４ＣＯＮ（Ｒ５）−］で表されるアミド類（Ｒ１、Ｒ２、Ｒ３およびＲ５は１〜１２個の炭素原子を有する脂肪族および脂環式炭化水素基および６〜１２個の炭素原子を有する多くとも１個の芳香族基から独立して選択され；Ｒ４は、３〜１２個の炭素原子を有する脂肪族ヒドロカルビレン基から選択され；前記アミド類は、約１００〜約３００原子質量単位の分子量を有する）；
ｃ）式Ｒ１Ｃ（Ｏ）Ｒ２で表されるケトン類（Ｒ１およびＲ２は、１〜１２個の炭素原子を有する脂肪族、脂環式およびアリール炭化水素基から独立して選択され、前記ケトン類は、約７０〜約３００原子質量単位の分子量を有する）；
ｄ）式Ｒ１ＣＮで表されるニトリル類（Ｒ１は、５〜１２個の炭素原子を有する脂肪族、脂環式またはアリール炭化水素基から選択され、前記ニトリル類は、約９０〜約２００原子質量単位の分子量を有する）；
ｅ）式ＲＣｌｘで表されるクロロカーボン類（ｘは１または２であり；Ｒは、１〜１２個の炭素原子を有する脂肪族および脂環式炭化水素基から選択され；前記クロロカーボン類は、約１００〜約２００原子質量単位の分子量を有する）；
ｆ）式Ｒ１ＯＲ２で表されるアリールエーテル類（Ｒ１は、６〜１２個の炭素原子を有するアリール炭化水素基から選択され；Ｒ２は、１〜４個の炭素原子を有する脂肪族炭化水素基から選択され；前記アリールエーテル類は、約１００〜約１５０原子質量単位の分子量を有する）；
ｇ）式ＣＦ３Ｒ１で表される１，１，１−トリフルオロアルカン類（Ｒ１は、約５〜約１５個の炭素原子を有する脂肪族および脂環式炭化水素基から選択される）；
ｉ）式Ｒ１ＯＣＦ２ＣＦ２Ｈで表されるフルオロエーテル類（Ｒ１は、約５〜約１５個の炭素原子を有する脂肪族および脂環式炭化水素基から選択されるか；または前記フルオロエーテル類がフルオロオレフィン類およびポリオール類から誘導され、前記フルオロオレフィン類は、ＣＦ２＝ＣＸＹタイプ（Ｘは、水素、塩素またはフッ素であり、そしてＹは、塩素、フッ素、ＣＦ３またはＯＲｆであり、Ｒｆは、ＣＦ３、Ｃ２Ｆ５、またはＣ３Ｆ７である）のものであり；そして前記ポリオール類は、ＨＯＣＨ２ＣＲＲ’（ＣＨ２）ｚ（ＣＨＯＨ）ｘＣＨ２（ＣＨ２ＯＨ）ｙタイプ（ＲおよびＲ’は水素、ＣＨ３またはＣ２Ｈ５であり、ｘは、０〜４の整数であり、ｙは０〜３の整数であり、そしてｚは０または１のいずれかである）のものである）；および
ｊ）構造式［Ｂ］、［Ｃ］、および［Ｄ］で表されるラクトン類
【化１】
2008500436.tif 000001
（Ｒ１〜Ｒ８は、水素、線状、分枝状、環状、２環式、飽和および不飽和のヒドロカルビル基から独立して選択され；そしてその分子量は約１００〜約３００原子質量単位である）；および
ｋ）一般式Ｒ１ＣＯ２Ｒ２で表されるエステル類（Ｒ１およびＲ２は、線状および環状、飽和および不飽和の、アルキルおよびアリール基から独立して選択され；前記エステル類は約８０〜約５５０原子質量単位の分子量を有する）
からなる群より選択されることを特徴とする９．に記載の組成物。
１１．    圧縮冷凍装置または空気調節装置中の８．または９．に記載の組成物を検出するための方法であって、前記方法が、前記組成物を前記装置に提供する工程、および前記装置の漏洩ポイントまたは近傍に、前記組成物を検出するための適切な手段を提供する工程を含むことを特徴とする方法。
１２．    冷凍を発生させるための方法であって、前記方法が、冷却されるべき物体の近傍において８．または９．に記載の組成物を蒸発させる工程、およびその後に、前記組成物を凝縮させる工程を含むことを特徴とする方法。
１３．    熱を発生させるための方法であって、前記方法が、加熱されるべき物体の近傍において８．または９．に記載の組成物を凝縮させる工程、およびその後に、前記組成物を蒸発させる工程を含むことを特徴とする方法。
１４．    安定剤、水捕捉剤、または臭気マスキング剤をさらに含むことを特徴とする１．または９．に記載の組成物。
１５．    前記安定剤が、ニトロメタン、ヒンダードフェノール類、ヒドロキシルアミン類、チオール類、ホスファイト類およびラクトン類からなる群より選択されることを特徴とする１５．に記載の組成物。
１６．    ２．または３．に記載の組成物を使用する方法であって、前記方法が、多段遠心圧縮機を用いて、冷凍装置または空気調節装置中で熱または冷凍を発生させる工程を含むことを特徴とする方法。
１７．    前記多段遠心圧縮機が二段遠心圧縮機であることを特徴とする１６．に記載の方法。
１８．    前記水捕捉剤がオルトエステルであることを特徴とする１４．に記載の組成物。